(57)【要約】【課題】作業選択画面などで適切な作業を追加することができる注文処理端末及び注文処理プログラム並びに注文処理方法の提供。【解決手段】主となるサービスに属する第１のグループの作業と、付随するサービスに属する第２のグループの作業とを対応付けるテーブルを記憶する記憶手段と、各々の注文に対して個々の作業を選択させるための作業選択画面などを表示手段に表示させる際に、上記テーブルを参照して、予め選択された作業の中の第１のグループの作業に対して追加可能な第２のグループの作業を特定し、予め選択された作業の指示ボタンと共に特定された第２のグループの作業の指示ボタンを選択可能に表示する制御や、追加できない第２のグループの作業の指示ボタンを表示させない制御を行う表示制御手段と、を少なくとも備える。これにより、上記作業選択画面で適切な作業を簡単に追加できる。【選択図】図１４
2006172250.tif 000002
【特許請求の範囲】
【請求項１】
画像ファイルを利用した作業を指示する注文を受け付ける注文処理端末において、
予め定められた第１のグループの作業と、前記第１のグループの各々の作業に対して追加可能な第２のグループの作業とを対応付けるテーブルを備えることを特徴とする注文処理端末。
【請求項２】
各々の前記注文に対して作業を選択させるための選択画面を表示手段に表示させる表示制御手段を備え、
前記表示制御手段では、前記テーブルを参照して、予め選択された作業に含まれる前記第１のグループの作業に対して追加可能な前記第２のグループの作業を特定し、前記予め選択された作業を指示する手段と追加可能な前記第２のグループの作業を指示する手段とを前記選択画面に選択可能に表示させる制御を行うことを特徴とする請求項１記載の注文処理端末。
【請求項３】
前記表示制御手段では、前記予め選択された作業を指示する手段と追加可能な前記第２のグループの作業を指示する手段とを異なる表示形態で表示させることを特徴とする請求項２記載の注文処理端末。
【請求項４】
前記表示制御手段では、前記テーブルを参照して、前記予め選択された作業に含まれる前記第１のグループの作業に対して追加できない前記第２のグループの作業を特定し、追加できない前記第２のグループの作業を指示する手段を前記選択画面に表示させない制御を行うことを特徴とする請求項２又は３に記載の注文処理端末。
【請求項５】
コンピュータを、
各々の前記注文に対して作業を選択させるための選択画面を表示手段に表示させる際に、予め定められた第１のグループの作業と、前記第１のグループの各々の作業に対して追加可能な第２のグループの作業とを対応付けるテーブルを参照して、予め選択された作業に含まれる前記第１のグループの作業に対して追加可能な前記第２のグループの作業を特定し、前記予め選択された作業を指示する手段と追加可能な前記第２のグループの作業を指示する手段とを前記選択画面に選択可能に表示させる表示制御手段、として機能させることを特徴とする注文処理プログラム。
【請求項６】
前記表示制御手段では、前記予め選択された作業を指示する手段と追加可能な前記第２のグループの作業を指示する手段とを異なる表示形態で表示させることを特徴とする請求項５記載の注文処理プログラム。
【請求項７】
前記表示制御手段では、前記テーブルを参照して、前記予め選択された作業に含まれる前記第１のグループの作業に対して追加できない前記第２のグループの作業を特定し、追加できない前記第２のグループの作業を指示する手段を前記選択画面に表示させない制御を行うことを特徴とする請求項５又は６に記載の注文処理プログラム。
【請求項８】
画像ファイルを利用した作業を指示する注文を受け付けるステップと、
各々の前記注文に対する作業を選択させるための選択画面を表示手段に表示する表示ステップと、を少なくとも有する注文処理方法において、
前記表示ステップでは、予め定められた第１のグループの作業と、前記第１のグループの各々の作業に対して追加可能な第２のグループの作業とを対応付けるテーブルを参照して、予め選択された作業に含まれる前記第１のグループの作業に対して追加可能な前記第２のグループの作業を特定し、前記予め選択された作業を指示する手段と追加可能な前記第２のグループの作業を指示する手段とを前記選択画面に選択可能に表示することを特徴とする注文処理方法。
【請求項９】
前記表示ステップでは、前記予め選択された作業を指示する手段と追加可能な前記第２のグループの作業を指示する手段とを異なる表示形態で表示することを特徴とする請求項８記載の注文処理方法。
【請求項１０】
前記表示ステップでは、前記テーブルを参照して、前記予め選択された作業に含まれる前記第１のグループの作業に対して追加できない前記第２のグループの作業を特定し、追加できない前記第２のグループの作業を指示する手段を前記選択画面に表示しないことを特徴とする請求項８又は９に記載の注文処理方法。
【発明の詳細な説明】
【技術分野】
【０００１】
本発明は、注文処理端末及び注文処理プログラム並びに注文処理方法に関する。
【背景技術】
【０００２】
近年、写真に関連する様々なサービスが提供されるようになってきている。例えば、ユーザがデジタルカメラで写真を撮影し、画像ファイルが記録されたデジタルカメラやデジタルカメラ用メディア、画像ファイルをバックアップしたＣＤ−Ｒなどをミニラボ等の写真店に持ち込むと、写真店では注文処理端末を用いてデジタルカメラやメディア、ＣＤ−Ｒから画像ファイルを読み取り、読み取った画像ファイルを用いて高精細な写真プリントを作成したり、該画像ファイルを他のＣＤ−Ｒなどの記録媒体に記録するなどの処理を行う。また、店舗内に設置されたキオスク（無人の注文処理端末）を用いれば、上記写真プリントの作成や記録媒体への書き込みなどの処理をユーザ自身で行うこともできる（上記無人の注文処理端末に関しては、例えば、下記特許文献１参照）。
【０００３】
更に、読み取った画像ファイルのみを記録媒体に記録するのではなく、これらの画像ファイルを音楽付きスライドショーとして表示するためのアプリケーションや音楽ファイルも併せて記録媒体に記録することもできる。
【０００４】
【特許文献１】特開平１１−８８１７号公報（第３−４頁、第１図）
【発明の開示】
【発明が解決しようとする課題】
【０００５】
上記注文処理端末でユーザが注文を行うと、写真店の店員などのオペレータは注文処理端末に注文選択画面や作業選択画面などを表示させ、該画面を操作して注文内の作業を実行する。ここで上記作業の中には、写真プリントの作成や記録媒体の作成などの主となるサービスに属する作業や、インデックスプリントの作成やジャケットプリントの作成などの付随するサービスに属する作業などの様々な作業があり、これらの作業は注文時にユーザが選択することもできるが、注文の変更に対して柔軟に対応できるように、注文処理の段階でオペレータが作業を追加することもできる。
【０００６】
しかしながら、主となるサービスに属する作業に対して、付随するサービスに属する作業を無制限に追加できるものではなく、例えば、主となるサービスに属する作業として記録媒体の作成を選択した場合は、付随するサービスに属する作業としてインデックスプリントの作成とジャケットプリントの作成のいずれの作業も選択することができるが、主となるサービスに属する作業として写真プリントの作成を選択した場合は、付随するサービスに属する作業としてジャケットプリントの作成は追加できないなどの制限がある。
【０００７】
従って、作業を追加する場合には、予めユーザが選択した作業に対して追加可能な作業を選択しなければならないが、従来の注文処理端末では、各々の注文に対して同じ構成の作業選択画面が表示され、該作業選択画面には全ての作業が選択可能に表示されるため、オペレータが不適切な作業を追加してしまうなどの不具合が生じる場合がある。
【０００８】
本発明は、上記問題点に鑑みてなされたものであって、その主たる目的は、作業選択画面などで適切な作業を追加することができる注文処理端末及び注文処理プログラム並びに注文処理方法を提供することにある。
【課題を解決するための手段】
【０００９】
上記目的を達成するため、本発明の注文処理端末は、画像ファイルを利用した作業を指示する注文を受け付ける注文処理端末において、予め定められた第１のグループの作業と、前記第１のグループの各々の作業に対して追加可能な第２のグループの作業とを対応付けるテーブルを備えるものである。
【００１０】
本発明においては、各々の前記注文に対して作業を選択させるための選択画面を表示手段に表示させる表示制御手段を備え、前記表示制御手段では、前記テーブルを参照して、予め選択された作業に含まれる前記第１のグループの作業に対して追加可能な前記第２のグループの作業を特定し、前記予め選択された作業を指示する手段と追加可能な前記第２のグループの作業を指示する手段とを前記選択画面に選択可能に表示させる制御を行う構成とすることができ、前記表示制御手段では、前記予め選択された作業を指示する手段と追加可能な前記第２のグループの作業を指示する手段とを異なる表示形態で表示させる構成とすることもできる。
【００１１】
また、本発明においては、前記表示制御手段では、前記テーブルを参照して、前記予め選択された作業に含まれる前記第１のグループの作業に対して追加できない前記第２のグループの作業を特定し、追加できない前記第２のグループの作業を指示する手段を前記選択画面に表示させない制御を行う構成とすることもできる。
【００１２】
また、本発明の注文処理プログラムは、コンピュータを、各々の前記注文に対して作業を選択させるための選択画面を表示手段に表示させる際に、予め定められた第１のグループの作業と、前記第１のグループの各々の作業に対して追加可能な第２のグループの作業とを対応付けるテーブルを参照して、予め選択された作業に含まれる前記第１のグループの作業に対して追加可能な前記第２のグループの作業を特定し、前記予め選択された作業を指示する手段と追加可能な前記第２のグループの作業を指示する手段とを前記選択画面に選択可能に表示させる表示制御手段、として機能させるものである。
【００１３】
また、本発明の注文処理方法は、画像ファイルを利用した作業を指示する注文を受け付けるステップと、各々の前記注文に対する作業を選択させるための選択画面を表示手段に表示する表示ステップと、を少なくとも有する注文処理方法において、前記表示ステップでは、予め定められた第１のグループの作業と、前記第１のグループの各々の作業に対して追加可能な第２のグループの作業とを対応付けるテーブルを参照して、予め選択された作業に含まれる前記第１のグループの作業に対して追加可能な前記第２のグループの作業を特定し、前記予め選択された作業を指示する手段と追加可能な前記第２のグループの作業を指示する手段とを前記選択画面に選択可能に表示するものである。
【００１４】
このように、本発明の構成によれば、作業選択画面などの選択画面には、予め選択された作業を指示する手段と共に、該作業に対して追加可能な作業を指示する手段が選択可能に表示され、また、追加できない作業を指示する手段は表示されないため、上記選択画面で適切な作業を簡単に追加することができ、かつ、不適切な作業が追加されてしまうといった不具合を未然に防止することができる。
【発明の効果】
【００１５】
本発明の注文処理端末及び注文処理プログラム並びに注文処理方法によれば、作業選択画面などの選択画面で、適切な作業を簡単に追加することができ、かつ、不適切な作業が追加されてしまうといった不具合を未然に防止することができる。
【００１６】
その理由は、本発明の注文処理端末には、主となるサービスに属する第１のグループの作業と付随するサービスに属する第２のグループの作業とを対応付けるテーブルが記憶されており、各々の注文に対して作業を選択させるための作業選択画面などを表示させる際に、上記テーブルを参照して、予め選択された作業に対して追加可能な作業を特定し、予め選択された作業を指示するボタンと共に、特定された追加可能な作業を指示するボタンを選択可能に表示する制御や、予め選択された作業に対して追加できない作業を指示するボタンを表示させない制御が行われるからである。
【発明を実施するための最良の形態】
【００１７】
本発明の注文処理端末は、その好ましい一実施の形態において、主となるサービス（主に注文受付時にユーザが選択するサービス）に属する第１のグループの作業と、付随するサービス（主に注文処理時にオペレータが付加するサービス）に属する第２のグループの作業とを対応付けるテーブルを記憶する記憶手段と、各々の注文に対して個々の作業を選択させるための作業選択画面などを表示手段に表示させる際に、上記テーブルを参照して、予め選択された作業の中の第１のグループの作業に対して追加可能な第２のグループの作業を特定し、予め選択された作業を指示する手段と共に特定された第２のグループの作業を指示する手段を選択可能に表示する制御や、予め選択された作業の中の第１のグループの作業に対して追加できない第２のグループの作業を指示する手段を表示させない制御を行う表示制御手段と、表示手段及び操作手段とを少なくとも備える。これにより、上記作業選択画面などで適切な作業を簡単に追加することができ、かつ、不適切な作業が追加されてしまうといった不具合を未然に防止することができる。
【実施例】
【００１８】
上記実施の形態について詳細に説明すべく、本発明の一実施例に係る注文処理端末及び注文処理プログラム並びに注文処理方法について、図１乃至図１７を参照して説明する。図１は、本実施例に係る注文処理システムの構成を模式的に示す図であり、図２乃至図４は、注文処理端末のバリエーションを示す図、図５は、注文処理端末の機能を示すブロック図である。また、図６は、本実施例の注文処理端末を用いた注文受付の手順を示すフローチャート図であり、図７は、本実施例の注文処理端末を用いた注文処理の手順を示すフローチャート図である。また、図８乃至図１６は、注文処理端末の表示手段に表示される画面構成例を示す図であり、図１７は、第１のグループの作業と第２のグループの作業とを対応付けるテーブルの構成例を示す図である。
【００１９】
図１に示すように、本実施例の注文処理システム１は、ミニラボなどに写真店やコンビニエンスストアなどの注文店などに設置され、記録媒体の作成や写真プリントなどの注文を受け付け、該注文の処理を行う注文処理端末２と、写真店や生産店などに設置される記録媒体作成装置１１ａやプリント作成装置１１ｂなどの出力装置１０とで構成され、これらはＬＡＮやＷＡＮ、ＶＡＮなどの通信ネットワークを介して接続されている。
【００２０】
また、図５に示すように、本実施例の注文処理端末２は、スマートメディア、コンパクトフラッシュ（登録商標）、メモリースティック、ＳＤメモリーカード、マルチメディアカードなどのデジタルカメラ９用又はカメラ付き携帯電話機９ａ用の記録媒体（以下、メディア８と呼ぶ。）を装填するメディア装填部５や、デジタルカメラ９やカメラ付き携帯電話機９ａ等の撮影機器（以下、デジタルカメラ９として説明する。）を有線又は無線、赤外線等によって接続するための機器接続部６などを用いて画像ファイルを読み取るファイル読み取り手段１５と、主となるサービスに属する第１のグループの作業と、付随するサービスに属する第２のグループの作業とを対応付けるテーブルや注文情報ファイルなどを記憶する記憶手段１６と、１つの注文内に含まれる複数の作業の中から個々の作業を選択させるための作業選択画面などを表示手段に表示させる際に、上記テーブルを参照して、予め選択された作業の中の第１のグループの作業に対して追加可能な第２のグループの作業を特定し、予め選択された作業を指示するボタンと共に特定された第２のグループの作業を指示するボタンを選択可能に表示させる制御や、予め選択された作業の中の第１のグループの作業に対して追加できない第２のグループの作業を指示するボタンを表示させない制御を行う表示制御手段１７と、ＬＣＤ、ＣＲＴ等の表示手段３と、ボタン、キーボード、マウス等の操作手段４と、出力装置１０に画像ファイルや注文情報ファイルを送信するファイル送信手段１８とを備え、必要に応じて、注文番号が記録されたレシートを出力するレシートプリンタ７などが接続されている。なお、上記各手段はハードウェアとして構成されていてもよいし、コンピュータを、少なくとも、表示制御手段１７として機能させる注文処理プログラムとして構成し、該注文処理プログラムを注文処理端末２にインストールして実行する構成としてもよい。
【００２１】
また、本実施例のプリント作成装置１１ｂは、銀塩プリンタや昇華プリンタ、インクジェットプリンタなどの任意の種類のプリンタを用いることができ、プリント作成装置１１ｂには、少なくとも、注文情報ファイルに基づいて所定のプリントサイズ（Ｅ、Ｌ、ＬＤ、２Ｌ、２ＬＤ、ＫＧ、８つ、６つ、４つ、６つＷ、４つＷ、Ａ４、Ａ３など）、所定の種別（銀塩プリント、昇華プリントなど）、所定の形態（個々のプリント、インデックスプリント、ジャケットプリント、レイアウトプリント、カレンダープリント、ポストカードなど）の写真プリント１２の作成を行う機能を備え、記録媒体作成装置１１ａには、少なくとも、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１３を装填する記録媒体装填部１４などの書き込み手段を備えている。
【００２２】
なお、図１では、注文処理端末２と記録媒体作成装置１１ａとプリント作成装置１１ｂとを別々の装置として記載しているが、例えば、図２に示すように、注文処理端末２と記録媒体作成装置１１ａの機能を兼ね備えたコンピュータ機器としてもよいし、図３に示すように、注文処理端末２と記録媒体作成装置１１ａとプリント作成装置１１ｂとが一体となったキオスク（無人端末）などとしてもよい。また、図１では、注文処理端末２で注文の受付と注文の管理と出力装置１０の制御とを行う構成としているが、図４に示すように、注文処理端末２と出力装置１０との間に注文を管理する注文管理端末２ａを設け、注文処理端末２では注文の受付のみを行って注文情報を注文管理端末２ａに送信し、該注文管理端末２ａで注文の管理と出力装置１０の制御とを行う構成としてもよい。以下では、注文処理端末２で注文の受付、注文の管理及び出力装置１０の制御の全て行う場合を主に説明する。
【００２３】
上記構成の注文処理端末２を用いてユーザが注文を行う手順について、図６のフローチャート図を参照して説明する。
【００２４】
まず、注文処理端末２の表示手段３に、例えば、図８に示すような作業指示画面２１が表示される。この作業指示画面２１には、画像ファイルから写真プリント１２を作成するのか、画像ファイルを記録した記録媒体１３を作成するのか、又はその双方を作成するのかなどの作業を選択するボタンが表示され、ステップＳ１０１で、ユーザはその中から所望の作業を選択し、ステップＳ１０２で、メディア装填部５にメディア８を装填、又は機器接続部６にデジタルカメラ９を接続する。
【００２５】
なお、図８では３つの作業を示しているが、作業の構成は任意であり、写真プリント１２の作成を、画像ファイルの画像をそのままプリントする作業と、画像ファイルの画像をレイアウトしてプリントする作業と、画像ファイルの画像を用いてカレンダーを作成する作業と、画像ファイルの画像を用いてポストカードを作成する作業などに分類してもよいし、記録媒体１３の作成を、画像ファイルのバックアップのみを行う作業と、画像ファイルに加えて、該画像ファイルを音楽付きスライドショーとして再生するためのアプリケーションやＶｉｄｅｏ−ＣＤ形式などの家電機器用データを記録する作業などに分類してもよい。
【００２６】
次に、ステップＳ１０３で、写真プリント１２の作成が選択されている場合は、ステップＳ１０４で、表示制御手段１７は、表示手段３に例えば図９に示すような写真プリント１２のプリントサイズをユーザに選択させるためのプリントサイズ選択画面２２を表示させる。このプリントサイズ選択画面２２には、Ｅ、Ｌ、ＬＤ、２Ｌ、２ＬＤ、ＫＧ、８つ、６つ、４つ、６つＷ、４つＷ、Ａ４、Ａ３などの各種プリントサイズが選択可能に表示されており、ユーザは操作手段４を操作して所望のプリントサイズを選択する。
【００２７】
次に、ステップＳ１０５で、表示制御手段１７は、表示手段３に例えば図１０に示すような納期をユーザに選択させるための納期選択画面２３を表示させる。この納期選択画面２３には、特急、普通、翌日などの各種納期が選択可能に表示されており、ユーザは操作手段４を操作して所望の納期を選択する。
【００２８】
次に、ステップＳ１０５の処理の後に、又は、ステップＳ１０３からＳ１０５の処理と並行して、ステップＳ１０６で、ファイル読み取り手段１５は、メディア装填部５に装填されたメディア８や機器接続部６に接続されたデジタルカメラ９から画像ファイルと必要に応じてＤＰＯＦ（Digital Print Order Format）ファイルなどの注文情報ファイルを読み取る。
【００２９】
次に、表示制御手段１７は、表示手段３に、例えば図１１に示すような一括選択画面２４を表示させた後、例えば図１２に示すような画像選択画面２５を表示させる。この画像選択画面２５には、各々の画像ファイルの画像を日付順やファイル名順などの予め定められた順番（図ではファイル名の昇順）で配列するための複数の枠が設けられており、各々の枠の近傍には、対応する画像ファイルに対する処理を設定するためのボタン（ディスク作成モードの場合は画像を回転させるためのボタンや画像の選択／解除を指示するためのボタン、画像を拡大表示するためのボタンなど）が設けられている。そして、ステップＳ１０７でユーザは画像選択画面２５に表示された画像ファイルの中から処理の対象となる画像ファイルを選択する。
【００３０】
次に、ステップＳ１０８で、写真プリント１２の作成が選択されている場合は、プリント対象となる画像ファイルのＥＸＩＦ（Exchangeable Image File Format）情報や注文情報ファイルに日付情報が記録されているかを判断し、プリント対象となる少なくとも１つの画像ファイルに日付情報が記録されている場合又は注文情報ファイルに日付情報が記録されている場合は、写真プリント１２に日付を書き込むことができるため、表示制御手段１７は、例えば、図１３に示すような、写真プリント１２に日付を書き込むか否かを選択するボタンが表示された日付有り／無し選択画面２６を表示手段３に表示させる。
【００３１】
次に、ステップＳ１０９で、ユーザは日付有り／無し選択画面２６で日付の有り／無しを選択し、日付無しを選択した場合は、画像ファイル又は注文情報ファイルの少なくとも一方の所定の記述場所にその画像ファイルに基づく画像に日付が書き込まれないようにする処理を行うなどして、日付無しに設定する。また、日付有りを選択した場合は、注文情報ファイルの日付指定に関する記述場所にＥＸＩＦ情報に記述された日付情報を書き込むなどして、日付有りに設定する。
【００３２】
その後、ステップＳ１１０で、上記手順で設定された注文の内容が注文情報ファイルに記録され、該注文情報ファイルが注文処理端末２に記憶され（又は、注文管理端末２ａを備える構成の場合は該注文管理端末２ａに注文情報ファイルが送信され）、必要に応じてレシートプリンタ７を用いて注文番号が記録されたレシートが出力され、注文処理端末２での注文受付処理が終了する。
【００３３】
そして、写真店や注文店のオペレータは、注文情報ファイルが記憶された注文処理端末２（又は注文情報ファイルが送信された注文管理端末２ａ）を操作して、記録媒体作成装置１１ａやプリント作成装置１１ｂなどの出力装置１０を制御して記録媒体１３の作成や写真プリント１２の作成などの各種作業を開始する。以下、注文処理端末２（又は、注文管理端末２ａを備える構成では該注文管理端末２ａ）を用いてオペレータが注文を処理する手順について、図７のフローチャート図を参照して説明する。
【００３４】
まず、ステップＳ２０１で、オペレータが操作手段４を操作して注文管理モードに設定すると、ステップＳ２０２で、表示制御手段１７は、表示手段３に例えば、図１４に示すような注文選択画面２７を表示させる。この注文選択画面２７には、注文処理端末２に登録された注文の内、未処理の注文と処理済みの注文とを分類するタグ２３ａと、各々の注文の内容を受付番号毎に表示する一覧表示欄２３ｂとが設けられており、ステップＳ２０３で、オペレータは未処理の注文の中から処理しようとする注文（ここでは受付番号０１００３）を選択する。
【００３５】
次に、表示制御手段１７は、表示手段３に、選択された注文に対して個々の作業を選択させるための作業選択画面を表示させるが、その際、従来の注文処理端末では、各々の注文に対して同じ構成の作業選択画面を表示させていたため、作業選択画面にはステップＳ１０１でユーザに選択された作業を指示するボタンのみならず、選択された作業以外の作業を指示するボタンも選択可能に表示されてしまい、その結果、不適切な作業が追加されてしまうという不具合が生じる場合があった。
【００３６】
そこで、本実施例では、各々の注文に対して不適切な作業が追加されてしまうことがないように、記憶手段１６に、主となるサービスに属する第１のグループの作業と、オペレータが追加可能な付随するサービスに属する第２のグループの作業とを対応付けるテーブルを記憶しておき、このテーブルを参照して、作業選択画面には選択可能な作業を指示するボタンのみを表示させる制御を行う。
【００３７】
具体的に説明すると、主となるサービスに属する第１のグループの作業としては、例えば、画像ファイルを記録媒体１３にバックアップする作業（バックアップＣＤ）、画像ファイルと該画像ファイルをスライドショーとして再生するためのアプリケーションや家電機器用データとをセットにして記録媒体１３に記録する作業（アルバムＣＤ）、画像ファイルをそのままプリントする作業（そのままプリント）、画像ファイルの画像をレイアウトしてプリントする作業（レイアウトプリント）、画像ファイルの画像を嵌め込んだカレンダーを作成する作業（カレンダープリント）、画像ファイルの画像を嵌め込んだポストカードを作成する作業（ポストカード）などがあり、付随するサービスに属する第２のグループの作業としては、例えば、縮小画像を配列したプリントを作成する作業（インデックスプリントのタイプ１及びタイプ２）、記録媒体１３を収納するケースに挿入するプリントを作成する作業（ジャケットプリント）、引き延ばしたプリントなどを無償で提供する作業（おまけプリント）、処理の対象となる画像ファイルをＣＤ−Ｒなどに記録する作業（ディスク保存）などがあり、これらの作業は無関係に組み合わせることができるのではなく、例えば、そのままプリントやレイアウトプリント、カレンダープリント、ポストカードなどの写真プリントを作成する作業では、記録媒体１３を収納するケースに差し込むジャケットプリントの作成などの作業は選択できないなどの制限がある。
【００３８】
そこで、本実施例の注文処理端末２では、図１７に示すように、第１のグループの各々の作業に対して追加可能な第２のグループの作業を予め定め、第１のグループの作業と第２のグループの作業との対応関係を規定するテーブルを作成して記憶手段１６に記憶しておき、ステップＳ２０４で、表示制御手段１７は選択された注文に含まれる作業の中に第１のグループに属する作業が含まれている場合は、該テーブルを参照して第１のグループに属する作業に対して追加可能な第２のグループの作業を特定し、ステップＳ２０５で、表示手段３に例えば、図１５に示す作業選択画面３０を表示させる。
【００３９】
この作業選択画面３０には、上述した各種作業を選択させるためのボタン（ここでは、説明を容易にするために、写真プリントを作成する作業に対応する”プリント”ボタンと、画像ファイルを記録媒体１３に記録する作業に対応する”ディスク”ボタンと、ジャケットプリントを作成する作業に対応する”ジャケット”ボタンと、インデックスプリントを作成する作業に対応する”インデックス”ボタンの４つのボタンとする。）が表示可能となっているが、ユーザに選択された作業が記録媒体１３の作成の場合は、記録媒体１３の作成は第１のグループの作業に属し、図１７のテーブルから、該作業（例えば、バックアップＣＤ）に対して第２のグループに属するジャケットプリントの作成とインデックスプリント（ここではインデックスプリントタイプ１）の作成とが追加可能であることから、作業選択画面３０には、予め選択された作業に対応する”ディスク”ボタンと、追加可能な作業に対応する”ジャケット”ボタン及び”インデックス”ボタンの３つのボタンを選択可能に表示する。
【００４０】
また、ユーザに選択された作業が写真プリント１２の作成の場合は、写真プリント１２の作成は第１のグループの作業に属し、図１７のテーブルから、該作業（例えば、そのままプリント）に対して第２のグループに属するインデックスプリント（ここではインデックスプリントタイプ１）の作成のみが追加可能であることから、作業選択画面３０には、図１６に示すように、予め選択された作業に対応する”プリント”ボタンと、追加可能な作業に対応する”インデックス”ボタンの２つのボタンを選択可能に表示し、追加できない作業に対応する”ジャケット”ボタンは表示させない。
【００４１】
なお、図８の作業指示画面２１、図１４の注文選択画面２７、図１４及び図１５の作業選択画面３０の構成は例示であり、図１７のテーブルに記載された詳細な項目を表示してもよい。また、作業選択画面３０において、同じ形態で複数のボタンを表示すると、どのボタンが予め選択された作業に対応し、どのボタンが追加可能な作業に対応するのかを識別することができなくなってしまうことから、予め選択された作業に対応するボタンと追加可能な作業に対応するボタンとを形態を変えて表示することもでき、例えば、図１５及び図１６に示すように、予め選択された作業に対応するボタンを明るく表示（図では濃く表示）し、追加可能な作業に対応するボタンを暗く表示（図では薄く表示）したり、いずれか一方の作業に対応するボタンを点滅させたり、いずれか一方の作業に対応するボタンに対応付けてマークを表示するなどの構成とすることができる。
【００４２】
そして、ステップＳ２０６で、オペレータは作業選択画面３０に選択可能に表示された作業の中から所望の作業を選択すると、ファイル送信手段１８は、記録媒体１３に書き込むべき画像ファイルを記録媒体作成装置１１ａに送信したり、プリントデータをプリント作成装置１１ｂに送信して、ステップＳ２０７で、記録媒体作成装置１１ａは、記録媒体装填部１４に装填された記録媒体１３に対して画像ファイルの書き込みを行い、プリント作成装置１１ｂは、プリントデータに基づいてジャケットプリントやインデックスプリントなどの写真プリント１２の作成を行う。
【００４３】
その後、ケースに各々の記録媒体１３を収納すると共に、該記録媒体１３に対応するジャケットプリント１２をケースに差し込み、ステップＳ２０８で、レシートと引き替えに作成した記録媒体１３及びジャケットプリント１２をユーザに提供して一連の注文処理を終了する。
【００４４】
このように、本実施例の注文処理端末２では、表示手段３に作業選択画面３０を表示させる際に、記憶手段１６に記憶されたテーブルを参照して、予め選択された作業に対して追加可能な作業を特定し、予め選択された作業を指示するボタンと共に特定された追加可能な作業を指示するボタンを選択可能に表示し、また、追加できない作業を指示するボタンを表示させない制御を行うため、オペレータは適切な作業を簡単に追加することができ、かつ、不適切な作業が選択されてしまうといった不具合を未然に防止することができる。
【００４５】
なお、上記実施例では、作業選択画面３０で作業を選択する場合について記載したが、本発明は上記実施例に限定されるものではなく、注文を選択する場合や利用する出力装置１０を選択する場合などについても同様に適用することができる。また、上記実施例では、デジタルカメラ９やメディア８に記録された画像ファイルを用いた処理について説明したが、ネガフィルムから読み取った画像ファイル、通信ネットワークを介して取得した画像ファイルや音楽ファイルなどに対しても同様に適用することができる。
【図面の簡単な説明】
【００４６】
【図１】本発明の一実施例に係る注文処理システムの構成を模式的に示す図である。
【図２】本発明の一実施例に係る注文処理端末のバリエーションを示す図である。
【図３】本発明の一実施例に係る注文処理端末のバリエーションを示す図である。
【図４】本発明の一実施例に係る注文処理端末のバリエーションを示す図である。
【図５】本発明の一実施例に係る注文処理端末の機能を示すブロック図である。
【図６】本発明の一実施例に係る注文処理端末を用いた注文の手順を示すフローチャート図である。
【図７】本発明の一実施例に係る注文処理端末を用いた注文処理の手順を示すフローチャート図である。
【図８】本発明の一実施例に係る注文処理端末の表示手段に表示される画面構成例（作業指示画面）を示す図である。
【図９】本発明の一実施例に係る注文処理端末の表示手段に表示される画面構成例（プリントサイズ選択画面）を示す図である。
【図１０】本発明の一実施例に係る注文処理端末の表示手段に表示される画面構成例（納期選択画面）を示す図である。
【図１１】本発明の一実施例に係る注文処理端末の表示手段に表示される画面構成例（一括選択画面）を示す図である。
【図１２】本発明の一実施例に係る注文処理端末の表示手段に表示される画面構成例（画像選択画面）を示す図である。
【図１３】本発明の一実施例に係る注文処理端末の表示手段に表示される画面構成例（日付有り／無し選択画面）を示す図である。
【図１４】本発明の一実施例に係る注文処理端末の表示手段に表示される画面構成例（注文選択画面）を示す図である。
【図１５】本発明の一実施例に係る注文処理端末の表示手段に表示される画面構成例（作業選択画面）を示す図である。
【図１６】本発明の一実施例に係る注文処理端末の表示手段に表示される作業選択画面のバリエーションを示す図である。
【図１７】本発明の一実施例に係る主となるサービスに属する作業と付随するサービスに属する作業とを対応付けるテーブルの構成例を示す図である。
【符号の説明】
【００４７】
１  注文処理システム
２  注文処理端末
２ａ  注文管理端末
３  表示手段
４  操作手段
５  メディア装填部
６  機器接続部
７  レシートプリンタ
８  メディア
９  デジタルカメラ
９ａ  カメラ付き携帯電話機
１０  出力装置
１１ａ  記録媒体作成装置
１１ｂ  プリント作成装置
１２  写真プリント
１３  記録媒体
１４  記録媒体装填部
１５  ファイル読み取り手段
１６  記憶手段
１７  表示制御手段
１８  ファイル送信手段
２１  作業指示画面
２２  プリントサイズ選択画面
２３  納期選択画面
２４  一括選択画面
２５  画像選択画面
２６  日付有り／無し選択画面
２７  注文選択画面
２８  タグ
２９  一覧表示欄
３０  作業選択画面
【図１】
2006172250.tif 000003
【図２】
2006172250.tif 000004
【図３】
2006172250.tif 000005
【図４】
2006172250.tif 000006
【図５】
2006172250.tif 000007
【図６】
2006172250.tif 000008
【図７】
2006172250.tif 000009
【図８】
2006172250.tif 000010
【図９】
2006172250.tif 000011
【図１０】
2006172250.tif 000012
【図１１】
2006172250.tif 000013
【図１２】
2006172250.tif 000014
【図１３】
2006172250.tif 000015
【図１４】
2006172250.tif 000016
【図１５】
2006172250.tif 000017
【図１６】
2006172250.tif 000018
【図１７】
2006172250.tif 000019